(57)【特許請求の範囲】
【請求項１】
透光性の第１電極層及び反射性の第２電極層によって少なくとも発光層を含む有機発光層を挟んで成る有機ＥＬ層を透光性の基板上に配設し、前記基板と協同して前記有機ＥＬ層を封止する封止部材を備える有機ＥＬ照明パネルと、
取付け面に配設される取付け部材と、
前記取付け部材に回転可能に係合する第１係合部材と、
前記第１係合部材に係合するとともに、前記有機ＥＬ照明パネルの背面に設けられた第２係合部材とを備えること
を特徴とする有機ＥＬスポットライト。
【請求項２】
透光性の第１電極層及び反射性の第２電極層によって少なくとも発光層を含む有機発光層を挟んで成る有機ＥＬ層を透光性の基板上に配設し、前記基板と協同して前記有機ＥＬ層を封止する封止部材を備える有機ＥＬ照明パネルと、
取付け面に配設される取付け部材と、
前記取付け部材に回転可能に係合する第１係合部材と、
前記第１係合部材に係合するとともに、前記有機ＥＬ照明パネルの背面に設けられた第２係合部材とを備えること
を特徴とする有機ＥＬダウンライト。
【発明の詳細な説明】
【技術分野】
【０００１】
本発明は、有機ＥＬ（electro luminescence）を利用した有機ＥＬスポットライト及び有機ＥＬダウンライトに関する。
【背景技術】
【０００２】
照明装置には、使用目的に応じて様々な種類の装置があるが、その中に、スポットライトやダウンライトがある。
【０００３】
図８は、特許文献１に開示のスポットライト及び特許文献２に開示のダウンライトの構成を示す一部断面図である。図８（Ａ）は、特許文献１に開示のスポットライトの構成を示し、図８（Ｂ）は、特許文献２に開示のダウンライトの構成を示す。スポットライト４００Ａやダウンライト４００Ｂは、例えば特許文献１や特許文献２に開示され図８に示すように、一般に、前面が開口する有底円筒状のケース４０１Ａ、４０１Ｂと、ケース内に取り付けられたソケット４０２Ａ、４０２Ｂと、ソケット４０２Ａ、４０２Ｂに取り付けられるランプ４０３Ａ、４０３Ｂと、ランプ４０３Ａ、４０３Ｂの光を前方に反射する反射鏡４０４Ａ、４０４Ｂとを備えて構成される。
【０００４】
一方、有機ＥＬ素子は、自己発光のために液晶素子に較べて明るく、鮮明な表示が可能であることから、比較的古くから研究開発がされている。特に、１９８７年にコダック社のＣ．Ｗ．Ｔａｎｇらが積層構造の有機ＥＬ素子を提案して以来、この素子が消費電力、輝度、応答性及び視野角の諸点で優れていることから注目を浴び、有機ＥＬディスプレイに関する研究開発が活発化し、さらに近年では、照明用途への研究開発も活発化している。
【０００５】
この有機ＥＬ照明パネルは、有機ＥＬ表示パネルと同様に、例えば、特許文献３に開示されているように、従来、発光面の周縁部を囲む枠体によって取り付け面に取り付けられていた。
【０００６】
図９は、特許文献３に記載の有機ＥＬ表示装置の構造を示す図である。図９（Ａ）は、その分解斜視図であり、図９（Ｂ）は、その断面図である。図９において、特許文献３に記載の有機ＥＬ表示装置５００は、封止板５１２によって封止された、画像や文字等の情報を表示するための有機ＥＬ表示素子５１０（有機ＥＬ表示パネルや有機ＥＬ照明パネルに相当する）と、この有機ＥＬ表示素子５１０を駆動するための駆動回路等が設けられた配線板５２０（取り付け面に相当する）と、導通方向に異方性を有すると共に弾性を有し、有機ＥＬ表示素子５１０の電極と配線板５２０の電極とを電気的に接続する２つのコネクタ５３０、５３０と、有機ＥＬ表示素子５１０及びコネクタ５３０、５３０を保持して、配線板５２０に固定されるホルダ本体５４０と、このホルダ本体５４０に結合され、有機ＥＬ表示素子５１０及びコネクタ５３０、５３０を固定するための固定部材５５０とを備えている。
【０００７】
ホルダ本体５４０は、有機ＥＬ表示素子５１０の側部に対向する側壁部のみを有する枠形状を成している。その対向する一対の両側壁部における内壁面５４５、５４５には、２つのコネクタ５３０、５３０が当接するようにそれぞれ保持されており、そして、固定部材５５０の端部を挿入するための断面矩形の溝５４７、５４７が長手方向にそれぞれ形成されている。ホルダ本体５４０は、その隅でねじ５２４、５２４によって配線板５２０にねじ止めされている。固定部材５５０は、発光面側において、有機ＥＬ表示素子５１０の周縁部に当接する枠状を成している。
【０００８】
そして、有機ＥＬ表示素子５１０は、封止板５１２を配線板５２０に向けて、その両側端がそれぞれ２つのコネクタ５３０、５３０に載るようにホルダ本体５４０内の空間５４６に収納され、固定部材５５０がホルダ本体５４０の溝５４７、５４７に挿入されることで有機ＥＬ表示素子５１０の周縁部がコネクタ５３０、５３０と固定部材５５０とによって挟持されて、ホルダ本体５４０に固定される。
【特許文献１】特開平０５−０２０９０１号公報
【特許文献２】特開平０５−０４７２０８号公報
【特許文献３】特開２０００−０６６６２２号公報
【発明の開示】
【発明が解決しようとする課題】
【０００９】
ところで、スポットライトやダウンライトは、照射方向にランプの光だけでなくランプの熱も照射される。そのため、熱せられると不都合な物体に対し使用することができないという不都合や人に対し使用されるとその人が暑く不快に感じる場合もある。また、スポットライトやダウンライトは、その使用目的から照射方向にランプの光を集中的に投光するために、別部材の反射鏡が必要である。
【００１０】
そこで、発熱が少なく、反射鏡を一体に備える有機ＥＬ照明パネルをランプの代わりにスポットライトやダウンライトに利用すれば、上記不都合等を解消することができると考えられる。しかしながら、有機ＥＬ照明パネルは、発光面の周縁部を囲む枠体によって取り付け面に取り付けられるため、発光面の周縁部が枠体によって塞がれてしまい、発光面の全てを活用することができないという不都合がある。また、スポットライトやダウンライトを取り付けた後に、故障や発光色の変更等により有機ＥＬ照明パネルを変更したい場合もある。
【００１１】
本発明は、上述の事情に鑑みて為された発明であり、発光面の全てを活用することができるとともに、有機ＥＬ照明パネルを容易に交換することができる有機ＥＬスポットライト及び有機ＥＬダウンライトを提供することを目的とする。
【課題を解決するための手段】
【００１２】
本発明者は、種々検討した結果、上記目的は、以下の本発明により達成されることを見出した。即ち、本発明の一態様に係る有機ＥＬスポットライトは、透光性の第１電極層及び反射性の第２電極層によって少なくとも発光層を含む有機発光層を挟んで成る有機ＥＬ層を透光性の基板上に配設し、前記基板と協同して前記有機ＥＬ層を封止する封止部材を備える有機ＥＬ照明パネルと、取付け面に配設される取付け部材と、前記取付け部材に回転可能に係合する第１係合部材と、前記第１係合部材に係合するとともに、前記有機ＥＬ照明パネルの背面に設けられた第２係合部材とを備えることを特徴とする。
【００１４】
そして、本発明の他の一態様に係る有機ＥＬスダウンライトは、透光性の第１電極層及び反射性の第２電極層によって少なくとも発光層を含む有機発光層を挟んで成る有機ＥＬ層を透光性の基板上に配設し、前記基板と協同して前記有機ＥＬ層を封止する封止部材を備える有機ＥＬ照明パネルと、取付け面に配設される取付け部材と、前記取付け部材に回転可能に係合する第１係合部材と、前記第１係合部材に係合するとともに、前記有機ＥＬ照明パネルの背面に設けられた第２係合部材とを備えることを特徴とする。
【発明の効果】
【００１６】
このような構造の有機ＥＬスポットライト及び有機ＥＬダウンライトは、背面に設けられた係合部材によって、取付け面に照射方向を変更可能に取り付けられるので、照射方向で発光面の全てを活用することができ、そして、係合部材が第１及び第２係合部材から構成されているので、第１係合部材を取付け部材に取り付けたまま、有機ＥＬ照明パネルを容易に交換することができる。
【発明を実施するための最良の形態】
【００１７】
以下、本発明に係る実施形態を図面に基づいて説明する。なお、各図において同一の符号を付した構成は、同一の構成であることを示し、その説明を省略する。
【００１８】
ここで、有機ＥＬスポットライトと有機ＥＬダウンライトとは、その使用目的に応じて配設箇所や出力輝度や使用態様等が異なるだけで、その構造は、同様であるので、有機ＥＬスポットライトと有機ＥＬダウンライトとを纏めて以下に説明し、有機ＥＬスポットライトと有機ＥＬダウンライトとを纏めて「有機ＥＬスポットライト等」と総称することとする。
（第１の実施形態）
図１は、第１の実施形態に係る有機ＥＬスポットライト等を示す斜視図である。図１（Ａ）は、第１係合部材を第２係合部材に装着した状態の有機ＥＬスポットライト等を示し、図１（Ｂ）は、第１係合部材を第２係合部材から外した状態の有機ＥＬスポットライト等を示す。図２は、実施形態に係る有機ＥＬスポットライト等における有機ＥＬ照明パネル及び第２係合部材の構造を示す図である。図２（Ａ）は、発光面の正面図であり、図２（Ｂ）は、背面図であり、図２（Ｃ）は、図２（Ａ）及び図２（Ｂ）に示すＡＡ線における断面図である。図３は、第１の実施形態に係る有機ＥＬスポットライト等における第１係合部材の構造を示す図である。図３（Ａ）は、上面図であり、図３（Ｂ）は、正面図であり、図３（Ｃ）は、側面図である。
【００１９】
図１において、第１の実施形態に係る有機ＥＬスポットライト等ＳＤＡは、直流電力の供給を受けることにより発光する有機ＥＬ照明パネル１と、有機ＥＬ照明パネル１の背面に設けられた、取付け面に配設された後述の取付け部材５Ａ（図４参照）と回転可能に係合する係合部材２Ａとを備えて構成される。係合部材２Ａは、第１及び第２係合部材３Ａ、４を備えて構成される。
【００２０】
図２において、有機ＥＬ照明パネル１は、基板１１と、基板１１の一方面Ｆａ上に積層された第１電極層１２と、第１電極層１２上に積層された有機発光層１３と、有機発光層１３上に積層された第２電極層１４と、第１及び第２封止部材１５、１６とを備えて構成される。
【００２１】
基板１１は、透光性の第１電極層１２及び反射性の第２電極層１４によって少なくとも発光層を含む有機発光層１３を挟んで成る有機ＥＬ層を支持するための平板状の部材であり、有機発光層１３で発光する光の波長に対して透明な材料、例えばガラス等から成る。
【００２２】
第１電極層１２は、有機発光層１３で発光する光の波長に対して透明な材料から成る導電性の薄膜であり、陽極となる。第１電極層１２は、有機発光層１３が可視光を発光するので、例えば、ＩＴＯ（Indium Tin Oxide）等で形成される。第１電極層１２は、その一部が基板１１の一方端側に第１封止部材１５から露出するように引き出されて陽極端子部１２１を形成している。
【００２３】
有機発光層１３は、蛍光物質の有機材料又は蛍光物質を含む有機材料から成る発光層を少なくとも含んで構成され、必要に応じて、正孔注入層、正孔輸送層、電子輸送層及び電子注入層等を備える。より具体的には、第１及び第２電極層１２、１４も記載すると、例えば以下の層構造である。
（１）（第１電極層１２；陽極）／発光層／（第２電極層１４；陰極）
（２）（第１電極層１２；陽極）／正孔輸送層／発光層／（第２電極層１４；陰極）
（３）（第１電極層１２；陽極）／発光層／電子輸送層／（第２電極層１４；陰極）
（４）（第１電極層１２；陽極）／正孔輸送層／発光層／電子輸送層／（第２電極層１４；陰極）
（５）（第１電極層１２；陽極）／正孔注入層／正孔輸送層／発光層／電子輸送層／電子注入層／（第２電極層１４；陰極）
第２電極層１４は、有機発光層１３で発光する波長の光を反射する材料から成る導電性の薄膜であり、陰極となる。第２電極層１４は、例えばアルミニウム（Ａｌ）、アルミリチウム（Ａｌ：Ｌｉ）及びマグネシウム銀（Ｍｇ：Ａｇ）等の金属や合金等で形成される。第２電極層１４は、例えば、本実施形態では、導電率、反射率及びコスト等の観点から、例えばアルミニウムで形成される。第２電極層１４は、その一部が基板１１の一方端側に対向する他方端側に第１封止部材１５から露出するように引き出されて陰極端子部１４１を形成している。
【００２４】
第１及び第２封止部材１５、１６は、基板１１と協同して有機発光層１３を気密に封止するための絶縁性の部材である。例えば接着性を有する樹脂製の第１封止部材１５が、陽極端子部１２１を除く第１電極層１２、有機発光層１３及び陰極端子部１４１を除く第２電極層１４を覆うように塗布され、例えばガラス製の板状部材から成る第２封止部材１６が、第１封止部材１５を介して第２電極層１４上に載せられて圧力が加えられことによって、第２封止部材１６が第１封止部材１５によって第２電極層１４に接着されると共に、第２封止部材１６の周縁部が第１封止部材１５によって基板１１に気密に接着して接合される。これによって第１及び第２封止部材１５、１６は、基板１１と協同して有機発光層１３を気密に封止する。
【００２５】
第２係合部材４は、有機ＥＬ照明パネル１の背面に設けられると共に、取付け面に配設された後述の取付け部材５Ａと回転可能に係合する第１係合部材３Ａと係合し、有機ＥＬ照明パネル１を第１係合部材３Ａに装着するための部材である。第２係合部材４は、例えば、略直方体形状を成し、互いに対向する１対の側面には、それぞれ、断面略矩形の係合溝Ｓａ、Ｓａが長手方向（奥行き方向）に形成されている。第２係合部材４は、第２封止部材１６上に例えば接着剤等によって接着されることによって、有機ＥＬ照明パネル１の背面に固定される。
【００２６】
このような第２係合部材４を備える有機ＥＬ照明パネル１は、例えば、次の各工程によって製造される。まず、開口部を有する第１電極用マスクを用い、矩形のガラス製の基板１１上における略中央部に略矩形のＩＴＯの第１電極層１２を形成する。次に、この第１電極層１２のＩＴＯ薄膜を形成した基板１１を、アセトン、イソプロピルアルコール（共に（株）関東化学製）、セミコクリーン（フルウチ科学製）、超純水で、それぞれ超音波洗浄を行った後、イソプロピルアルコールの蒸気で洗浄し、乾燥させる。次に、大気圧プラズマ表面処理装置（松下電工（株）製）で、この第１電極層１２のＩＴＯ薄膜が形成された基板１１の表面処理を行う。
【００２７】
次に、開口部を有する有機発光層用マスクを用い、４、４’−ビス［Ｎ−（ナフチル）−Ｎ−フェニル−アミノ］ビフェニル（α−ＮＰＤ）を堆積し、Ａｌｑ３にクマリンをドープした層を蒸着する。次に、Ａｌｑ３を蒸着し、ＬｉＦを蒸着する。これによって有機発光層１３が形成される。
【００２８】
次に、開口部を有する第２電極用マスクを用いて、アルミニウムを蒸着し、アルミニウムの第２電極層１４を形成する。
【００２９】
次に、第２封止部材１６としてガラス板を第１封止部材１５としてのエポキシ系接着剤で基板１１に貼付することによって気密に封止する。そして、第２封止部材１６上に例えば金属や樹脂から成る第２係合部材４をエポキシ系接着剤で接着する。これによって図２に示す第２係合部材４を備えた有機ＥＬ照明パネル１が製造される。
【００３０】
図３において、第１係合部材３Ａは、有機ＥＬ照明パネル１に設けられた第２係合部材４と係合することにより有機ＥＬ照明パネル１に装着されると共に、取付け面に配設された取付け部材５Ａと回転可能に係合する部材である。第１係合部材３Ａは、例えば、有機ＥＬ照明パネル１の幅と略同一の幅を有する略直方体形状の本体３１と、上記取付け部材５Ａと回転可能に係合するための、略円柱形状の一対のロッド３２Ａ、３２Ａとを備える。
【００３１】
本体３１の互いに対向する一対の側面Ｆｃ、Ｆｃには、側面Ｆｃ、Ｆｃの同じ位置に一対のロッド３２Ａ、３２Ａが側面Ｆｃ、Ｆｃに対し垂直にそれぞれ突設されている。本体３１の底面Ｆｅには、略中央に、互いに対向する一対の側面にそれぞれ長手方向（奥行き方向）に形成された断面略矩形の係合突部３３、３３を備える凹部Ｓｂが形成されている。
【００３２】
そして、本実施形態では、第１係合部材３Ａは、商用電源から電力供給を受け、有機ＥＬ照明パネル１に給電する機能も有している。このため、本体３１の上面Ｆｄには、一方端に、商用電源から電力の供給を受けるための電源コンセント３５が配設されている。電源コンセント３５は、本体３１に内蔵されている不図示の電源回路に接続されている。この電源回路は、商用電源の交流を有機ＥＬ照明パネル１の定格に応じた電圧の直流に変換する回路であり、例えば、商用電源の交流を直流に整流する整流回路と、整流された直流を平滑するコンデンサと、平滑された直流を有機ＥＬ照明パネル１の定格に応じた電圧に変換するＤＣ−ＤＣコンバータとを備えて構成される。そして、本体３１の底面Ｆｅには、その両端にそれぞれ一対のリブ３４、３４が本体３１と一体に形成されている。リブ３４、３４の端面には、上記電源回路に接続され、上記電源回路からの電力を有機ＥＬ照明パネル１に給電するための給電端子３６１、３６２がそれぞれ配設されている。
【００３３】
このような構成の第１及び第２係合部材３Ａ、４では、図１（Ｂ）に示すように、第１係合部材３Ａの係合突部３３、３３が第２係合部材４の係合溝Ｓａ、Ｓａに挿入されることによって、第１係合部材３Ａが第２係合部材４に係合される。これによって、図１（Ａ）に示すように、第１係合部材３Ａは、有機ＥＬ照明パネル１に装着され、そして、第１係合部材３Ａのリブ３４、３４に設けられた給電端子３６１、３６２がそれぞれ陽極端子部１２１及び陰極端子部１４１に電気的に接続される。
【００３４】
本実施形態では、第１及び第２係合部材３Ａ、４ががたつくことなく安定的に係合するように、第２係合部材４が第１係合部材３Ａの凹部Ｓｂにすっぽりと嵌まり込むように、凹部Ｓｂが形成されている。即ち、第２係合部材４の上面及び係合溝Ｓａ、Ｓａを含む一対の側面の輪郭と、係合突部３３、３３が係合溝Ｓａ、Ｓａを摺動可能な余裕を持った略同形の輪郭を有するように凹部Ｓｂが形成されている。従って、本体３１の底面Ｆｅは、有機ＥＬ照明パネル１における封止部材１６の外面に接触しており、これによっても第１及び第２係合部材３Ａ、４が安定的に係合される。そして、本体３１の底面Ｆｅが有機ＥＬ照明パネル１の封止部材１６の外面に接触するように構成されているため、リブ３４、３４は、給電端子３６１、３６２と陽極端子部１２１及び陰極端子部１４１との厚みを考慮した上で、積層された第１電極層１２、有機発光層１３、第２電極層１４及び封止部材１６の厚みに相当する高さで形成される。
【００３５】
次に、この第１及び第２係合部材３Ａ、４に係合する取付け部材５Ａについて説明する。図４は、実施形態に係る取付け部材の構造及び取付け部材に装着された有機ＥＬ照スポットライト等を示す斜視図である。図４（Ａ）は、実施形態に係る取付け部材の構造を示し、図４（Ｂ）は、取付け部材に装着された有機ＥＬスポットライト等を示す。
【００３６】
取付け部材５Ａは、係合部材２Ａの第１係合部材３Ａと係合する部材であり、例えば、第１係合部材３Ａにおける本体３１の幅以上の間隔であって、一方のロッド３２Ａの端面から他方のロッド３２Ａの端面までの距離以下の間隔で、一対の貫通孔が形成された部材である。より具体的には、図４（Ａ）に示すように、取付け部材５Ａは、略長方形の板状部材における両端を同一方向にそれぞれ略垂直に折り曲げることによって、基部５１と、基部５１の両端にそれぞれ略垂直に延設された立部５２、５２とを備える。そして、立部５２、５２の側面において同じ位置に、第１係合部材３Ａのロッド３２Ａが挿通可能な径で、略円形の一対の貫通孔５３、５３が一対の立部５２、５２のそれぞれに形成されている。これら基部５１及び一対の立部５２、５２は、第１係合部材３Ａが配置される配置空間Ｓｃを形成する。
【００３７】
次に、有機ＥＬスポットライト等ＳＤＡを取付け面に取り付ける場合について説明する。
【００３８】
まず、有機ＥＬスポットライト等ＳＤＡが取り付けられる不図示の取付け面に、基部５１の外面Ｆｆが当接されるように、例えば、ねじ止めや接着等によって基部５１が取付け面に固定されることによって、取付け部材５Ａが取付け面に配設される。取付け面は、例えば天井面や壁面あるいはこれら面に形成された凹部の底面等である。
【００３９】
次に、取付け部材５Ａの立部５２、５２がそれぞれ外側に湾曲され、立部５２、５２の貫通孔５３、５３に第１係合部材３Ａのロッド３２Ａ、３２Ａがそれぞれ挿通され、上記湾曲が解かれ、取付け部材５Ａの立部５２、５２がそれぞれ元の状態に戻される。これによって、図４（Ｂ）に示すように、第１係合部材３Ａのロッド３２Ａ、３２Ａが貫通孔５３、５３に回転可能に支持され、第１係合部材３Ａにおける本体３１の上部（ロッド３２Ａ、３２Ａの突設位置から上面までの部分）が配置空間Ｓｃに配置されるように、有機ＥＬスポットライト等ＳＤＡは、取付け面の取付け部材５Ａに取り付けられる。
【００４０】
そして、有機ＥＬスポットライト等ＳＤＡは、ロッド３２Ａ、３２Ａを中心に回転され、所定の照射方向に向けられる。本実施形態では、第１係合部材３Ａのロッド３２Ａ、３２Ａは、回転軸として作用し、貫通孔５３、５３は、軸受けとして作用している。このため、貫通孔５３の中心から基部５１までの立部５２の高さは、本体３１の上面、正面及び側面の交点からロッド３２Ａの中心までの距離以上が必要である。
【００４１】
このように本実施形態に係る有機ＥＬスポットライト等ＳＤＡは、枠体を用いることなく、背面に設けられた係合部材２Ａを取り付け面に配設された取付け部材５Ａに係合させることによって、取り付け面に取り付けられるので、照射方向で発光面を全て活用することができる。また、本実施形態に係る有機ＥＬスポットライト等ＳＤＡは、このように取り付け面に取り付けられるので、平面視における基板１１の形状を任意の形状とすることができるから、デザイン上の制約がなく、優れたデザインの有機ＥＬスポットライト等ＳＤＡを製作することも可能である。
【００４２】
特に、陽極端子部１２１及び陰極端子部１４１を基板１１の一方面Ｆａ状ではなく、封止部材１６の外面や第２係合部材４に引き回すことによって、平面視における基板１１の形状を、一層、任意の形状とすることができる。なお、これに合わせて第１係合部材３Ａに設けられる給電端子３６１、３６２も適宜な位置に配設される。例えば、陽極端子部１２１及び陰極端子部１４１が第１係合部材３Ａと接触する封止部材１６の外面に設けられた場合には、給電端子３６１、３６２は、本体３１の底面Ｆｅに設けられ、また例えば、陽極端子部１２１及び陰極端子部１４１が係合溝Ｓａ、Ｓａの底面に設けられた場合には、給電端子３６１、３６２は、係合突部３３、３３の端面に設けられる。
【００４３】
このように取付け面の取付け部材５Ａに取り付けられた有機ＥＬスポットライト等ＳＤＡを点灯する場合、商用電源が供給されているプラグを電源コンセント３５に接続し、不図示の点灯スイッチをオンする。そうすると、商用電源からの電力が電源コンセント３５を介して電源回路に供給される。商用電源からの電力は、電源回路で直流に変換され、給電端子３６１、３６２を介して有機ＥＬスポットライト等ＳＤＡに供給される。これによって、直流の電力が第１電極層１２の陽極端子部１２１と第２電極層１４の陰極端子部１４１との間に供給され、有機発光層１３が発光する。この有機発光層１３で発光した光は、直接的にあるいは第２電極層１４で反射することにより、一対の第１及び第２電極層１２、１４によって有機発光層１３を挟んで成る有機ＥＬ層を配設している面、即ち、第１電極層１２が形成されている一方面Ｆａに対向する他方面Ｆｂから、有機ＥＬ照明パネル１の出力光として、即ち、有機ＥＬスポットライト等ＳＤＡの出力光として射出される。
【００４４】
このように第２電極層１４は、光を照射方向に反射する反射鏡を兼ねており、本実施形態に係る有機ＥＬスポットライト等ＳＤＡは、反射鏡を別体で備える必要がない。
【００４５】
発光面は、有機ＥＬ照明パネル１の出力光となる光が射出される側にある最外面であり、本実施形態に係る有機ＥＬ照明パネル１では、基板１１の他方面Ｆｂである。一方、背面は、係合部材２Ａ、特に、第２係合部材４を固定する前において、有機ＥＬ照明パネル１の出力光となる光が射出されない側にある最外面であり、本実施形態に係る有機ＥＬ照明パネル１では、基板１１の一方面Ｆａにおける第１及び第２電極層１２、１４、有機発光層１３並びに第１及び第２封止部材１５、１６が形成されていない部分、第１封止部材１５の外周壁部分、及び、第２封止部材１６の外面である。本実施形態では、第２係合部材４は、この背面のうち第２封止部材１６の外面に固定されている。
【００４６】
ここで、取付け部材５Ａを用いて有機ＥＬスポットライト等ＳＤＡを取付け面に取り付けた後に、故障や発光色の変更等により有機ＥＬ照明パネル１を変更したい場合がある。このような場合、本実施形態に係る有機ＥＬスポットライト等ＳＤＡは、係合部材２Ａが第１及び第２係合部材３Ａ、４から構成されているので、第２係合部材４を第１係合部材３Ａから取り外すことによって、第１係合部材３Ａを取付け部材５Ａに取り付けたまま、有機ＥＬ照明パネル１を変更することができる。このため、有機ＥＬスポットライト等ＳＤＡ全体を取付け部材５Ａから取り外す必要がなく、有機ＥＬ照明パネル１の交換が容易である。
【００４７】
なお、上述の第１の実施形態では、ロッド３２Ａ、３２Ａと貫通孔５３、５３とは、所定の摩擦力を有することによって、向けられた照射方向で有機ＥＬスポットライト等ＳＤＡは、固定されるが、確実に向けられた照射方向で有機ＥＬスポットライト等ＳＤＡを固定するために、ロッド３２Ａ、３２Ａを貫通孔５３、５３に固定する固定部材を備えてもよい。例えば、取付け部材５Ａの立部５２に貫通する固定ねじ孔を設け、固定ねじの端面が第１係合部材３Ａにおける本体３１の側面Ｆｃに当接しさらに締め付けるまでこの固定ねじ孔に固定ねじを螺合する。これによって向けられた照射方向で有機ＥＬスポットライト等ＳＤＡが固定される。
【００４８】
次に、別の実施形態について説明する。
（第２の実施形態）
図５は、第２の実施形態に係る有機ＥＬスポットライト等における第１係合部材のロッドの構造を示す図である。図５（Ａ）は、一方向から見たロッドを示し、図５（Ｂ）は、前記一方向に対し略直交する方向から見たロッドを示す。図６は、取付け部材としての一対のワイヤに装着された有機ＥＬスポットライト等を示す斜視図である。図７は、ワイヤのロッドへの取り付けを説明するための図である。
【００４９】
第２の実施形態に係る有機ＥＬスポットライト等ＳＤＢは、直流電力の供給を受けることにより発光する有機ＥＬ照明パネル１と、有機ＥＬ照明パネル１の背面に設けられた、取付け面に配設された取付け部材５Ｂと回転可能に係合する係合部材２Ｂとを備えて構成される。係合部材２Ｂは、第１及び第２係合部材３Ｂ、４を備えて構成される。
【００５０】
ここで、上述した第１の実施形態では、係合部材２Ａは、第１係合部材３Ａのロッド３２Ａ、３２Ａを取付け部材５Ａの貫通孔５３、５３に挿通することによって、取付け部材５Ａと回転可能に係合されたが、第２の実施形態では、このロッド３２Ａ、３２Ａに代えて、図５及び図６に示すように、取付け部材としてのワイヤ５Ｂを挿入するための挿入凹部Ｓｄが形成された挿入部材３２２と、挿入部材３２２と回転可能に係合する支持部材３２１とを備えるロッド３２Ｂ、３２Ｂが用いられる。この点に係る相違を以下に説明し、他は、第１の実施形態に係る有機ＥＬスポットライト等ＳＤＡと同様であるので、その説明を省略する。
【００５１】
一対のロッド３２Ｂ、３２Ｂは、第１の実施形態における一対のロッド３２Ａ、３２Ａと同様に、図６に示すように第１係合部材３Ｂの本体３１における両側面Ｆｃ、Ｆｃにそれぞれ突設されている。一対のロッド３２Ｂ、３２Ｂの構造は、それぞれ同一であるので、一方のロッド３２Ｂのみを図５及び図７に示し、以下に説明する。
【００５２】
ロッド３２Ｂは、図５に示すように、支持部材３２１と、挿入部材３２２とを備えて構成される。挿入部材３２２は、例えば円柱部材であり、その側面には、取付け部材としてのワイヤ５Ｂを挿入するための挿入凹部Ｓｄが形成され、その一方端面には、支持部材３２１を挿入するための所定の深さの円筒孔Ｂａが形成されている。挿入凹部Ｓｄは、側面から側面に対し略垂直に略中心まで開口しそこから側面に対し略平行に開口して、長手方向の断面が略Ｌ字状となっている。なお、挿入部材３２２は、本実施形態では円柱であるが、柱状部材であればよく、例えば四角柱や六角柱等の角柱でもよい。支持部材３２１は、円柱部材であり、その一方端には、周方向に断面略半円形の係止凹部Ｓｅが形成されている。
【００５３】
支持部材３２１は、ロッド３２Ａが第１係合部材３Ａの本体３１における側面Ｆｃに側面Ｆｃに対し略垂直に突設されているのと同様に、その他方端で第１係合部材３Ｂの本体３１における側面Ｆｃに側面Ｆｃに対し略垂直に突設されており（図６参照）、その一方端が挿入部材３２２の円筒孔Ｂａに挿入されている。挿入部材３２２には、その側面における、支持部材３２１の一方端が挿入部材３２２の円筒孔Ｂａに挿入された状態で支持部材３２１の係止凹部Ｓｅに対応する位置に、抜け止めねじ孔Ｂｃが円筒孔Ｂａに貫通するように形成されている。この抜け止めねじ孔Ｂｃに抜け止めねじ３２３が螺合され、抜け止めねじ３２３の端部が支持部材３２１の係止凹部Ｓｅ内に達することによって、支持部材３２１が挿入部材３２２から抜け外れることが防止され、抜け止めねじ３２３の前記端部が支持部材３２１の係止凹部Ｓｅを形成する面に当接してさらに締め増されることによって、支持部材３２１が挿入部材３２２に固定される。
【００５４】
そして、挿入部材３２２の他方端面には、挿入凹部Ｓｄ  に貫通するように、ワイヤ止めねじ孔Ｂｂが形成されており、ワイヤ止めねじ３２４が螺合される。
【００５５】
一対のロッド３２Ｂ、３２Ｂを備えた第１係合部材３Ｂによって取付け部材としての一対のワイヤ５Ｂ、５Ｂに取り付ける場合について説明する。
【００５６】
まず、有機ＥＬスポットライト等ＳＤＢが取り付けられる不図示の取付け面と平行になるように、所定の間隔を空けて一対のワイヤ５Ｂ、５Ｂを懸架する。例えば、天井面に取り付ける場合には、天井面と平行になるように、一方の壁面から他方の壁面に一対のワイヤ５Ｂ、５Ｂを掛け渡す。
【００５７】
一対のワイヤ５Ｂ、５Ｂが一対のロッド３２Ｂ、３２Ｂにそれぞれ取り付けられるが、その取り付けは、同様であるので、その一方について説明すると、図７（Ａ）に示すように、断面略Ｌ字状の挿入凹部Ｓｄにおける側面に対し平行な面（底面）にワイヤ５Ｂが当接するように、ワイヤ５Ｂを挿入凹部Ｓｄに挿入する。次に、ワイヤ止めねじ３２４をワイヤ止めねじ孔Ｂｂに螺合し、図７（Ｂ）に示すように、断面略Ｌ字状の挿入凹部Ｓｄにおける長手方向の面にワイヤ５Ｂが当接するまで、ワイヤ止めねじ３２４をワイヤ止めねじ孔Ｂｂに螺合する。これによってワイヤ５Ｂがロッド３２Ｂに取り付けられ、固定される。
【００５８】
次に、一対のロッド３２Ｂ、３２Ｂにおける各抜け止めねじ３２３、３２３をそれぞれ緩めた状態で、有機ＥＬスポットライト等ＳＤＢは、ロッド３２Ｂ、３２Ｂを中心に回転され、所定の照射方向に向けられる。そして、この状態で各抜け止めねじ３２３、３２３をそれぞれ締め付け、各挿入部材３２２、３２２に対し各支持部材３２１、３２１をそれぞれ固定する。本実施形態では、ロッド３２Ｂ、３２Ｂにおける支持部材３２１、３２１は、回転軸として作用し、挿入部材３２２、３２２の円筒孔Ｂａ、Ｂａは、軸受けとして作用している。
【００５９】
このようなロッド３２Ｂ、３２Ｂを用いた第２の実施形態に係る有機ＥＬスポットライト等ＳＤＢも第１の実施形態に係る有機ＥＬスポットライト等ＳＤＡと同様の作用効果を奏する。
【００６０】
そして、第１の実施形態に係る有機ＥＬスポットライト等ＳＤＡでは、有機ＥＬスポットライト等ＳＤＡを配設するごとに取付け部材５Ａが必要であるが、第２の実施形態に係る有機ＥＬスポットライト等ＳＤＢでは、所望の長さの一対のワイヤ５Ｂを懸架することによって複数の有機ＥＬスポットライト等ＳＤＢを配設することができる。さらに、第２の実施形態に係る有機ＥＬスポットライト等ＳＤＢは、ワイヤ５Ｂを懸架した後でもその配設位置をワイヤ５Ｂの範囲で変更することができる。
【００６１】
なお、上述の第２の実施形態では、電力の供給を電源コンセント３５から受けるように構成したが、ワイヤ５Ｂが一対であるので、ワイヤ５Ｂに商用電源を供給し、一対のロッド３２Ｂ、３２Ｂから電力の供給を受けるように構成してもよい。
【図面の簡単な説明】
【００６２】
【図１】第１の実施形態に係る有機ＥＬスポットライト等を示す斜視図である。
【図２】実施形態に係る有機ＥＬスポットライト等における有機ＥＬ照明パネル及び第２係合部材の構造を示す図である。
【図３】第１の実施形態に係る有機ＥＬスポットライト等における第１係合部材の構造を示す図である。
【図４】実施形態に係る取付け部材の構造及び取付け部材に装着された有機ＥＬ照スポットライト等を示す斜視図である。
【図５】第２の実施形態に係る有機ＥＬスポットライト等における第１係合部材のロッドの構造を示す図である。
【図６】取付け部材としての一対のワイヤに装着された有機ＥＬスポットライト等を示す斜視図である。
【図７】ワイヤのロッドへの取り付けを説明するための図である。
【図８】特許文献１に開示のスポットライト及び特許文献２に開示のダウンライトの構成を示す一部断面図である。
【図９】特許文献３に記載の有機ＥＬ表示装置の構造を示す図である。
【符号の説明】
【００６３】
１  有機ＥＬ照明パネル
２Ａ、２Ｂ  係合部材
３Ａ、３Ｂ  第１係合部材
４  第２係合部材
５Ａ、５Ｂ  取付け部材
１１  基板
１２  第１電極層
１３  有機発光層
１４  第２電極層
１５  第１封止部材
１６  第２封止部材
３２Ａ、３２Ｂ  ロッド
３２１  支持部材
３２２  挿入部材
【図１】
0004561623.tif 000002
【図２】
0004561623.tif 000003
【図３】
0004561623.tif 000004
【図４】
0004561623.tif 000005
【図５】
0004561623.tif 000006
【図６】
0004561623.tif 000007
【図７】
0004561623.tif 000008
【図８】
0004561623.tif 000009
【図９】
0004561623.tif 000010